(57)【要約】【課題】  ゼンマイバネを備え、簡単な構成でしかも容易な操作で任意のバネ力に調節可能なドアクローザを用いると共に、引戸を静かにまた確実に閉止可能とする引戸用閉止装置を提供することである。【解決手段】  ゼンマイバネ４を内蔵するドラムを有し、ゼンマイバネのバネ力により開かれた引戸３０を閉止するドアクローザ１Ａと、ピストン１２とシリンダ１３を有し、引戸を閉止する際に制動力を付与する緩衝装置１Ｂを備えて、緩衝装置のピストンとシリンダとを第一保持手段Ｈ１と第二保持手段Ｈ２とを介して開位置と閉止位置とを規制する構成の引戸用閉止装置１とした。【選択図】図１
2009275497.tif 000002
【特許請求の範囲】
【請求項１】
固定の枠体に開閉自在に設けられる引戸の閉止装置において、引戸に設置され、ゼンマイバネを内蔵するドラムと、該ドラムに一端を固着して他端を枠体に接続するワイヤを有し、開かれた引戸を前記ゼンマイバネのバネ力により閉止する構成のドアクローザと、
枠体に設置され、閉止する引戸に連動して移動する前記ドアクローザに当接して、制動力を付与する緩衝装置を備えると共に、
前記緩衝装置が、前記ドアクローザに当接して移動するシャフトと、該シャフトに連なるピストンと、前記ピストンを摺動自在に収容するシリンダと、前記ピストンの閉止方向と開放方向の両方向の移動端位置を保持する第一、第二保持手段と、前記ピストンの閉止方向の移動の際に圧縮されるシリンダ内の空気を逃がす放出手段と、前記ピストンの開放方向の移動の際にシリンダ内に外気を導入する導入手段を備えていることを特徴とする引戸用閉止装置。
【請求項２】
前記シリンダの内腔両端部にそれぞれ開位置規制磁石と閉位置規制磁石を設け、前記ピストンの摺動先端部の両面にそれぞれ開放磁石と閉止磁石を設け、前記開位置規制磁石と前記開放磁石とが磁着して第一保持手段を形成し、前記閉位置規制磁石と前記閉止磁石とが磁着して第二保持手段を形成することを特徴とする請求項１に記載の引戸用閉止装置。
【請求項３】
前記放出手段を、シリンダの内腔に設ける複数の溝で構成すると共に、前記複数の溝の配設位置を異ならせて、前記ピストンの閉止方向に移動する際に、移動の途中から順に係合して空気逃げ溝を順に形成する構成としたことを特徴とする請求項１または２に記載の引戸用閉止装置。
【請求項４】
前記シャフトのピストンが設けられている端部とは反対側の先端部に当接磁石を設け、前記ドアクローザに前記当接磁石に係合する係合磁石を設けると共に、前記シリンダから突出する該シリンダと前記当接磁石との間に、引きバネとしてのコイルバネを装着して前記シャフトを閉止方向に付勢する構成としたことを特徴とする請求項１から３のいずれかに記載の引戸用閉止装置。
【請求項５】
前記ドアクローザが、本体ケースの表面と裏面とを貫通して回転自在に軸支される支軸に、前記ゼンマイバネの一端を固着して巻回すると共に、前記支軸の、前記本体ケースの表面から突出する一方の端部にカム板を装着し、前記カム板の回転を防止する係止手段を介して前記支軸の回転を防止する構成し、
前記支軸を軸方向の前後いずれかに移動して前記係止手段の係合を解除することで、前記支軸の回転を可能としたことを特徴とする請求項１から４のいずれかに記載の引戸用閉止装置。
【請求項６】
前記ドアクローザが、前記支軸を押し込む方向に移動して前記係止手段の係合を解除すると共に、前記カム板の外周部に複数の嘴状部を設け、該嘴状部に係合する爪部材と前記嘴状部とで前記係止手段を構成し、前記カム板を備える前記本体ケースの表面に、前記カム板が収納可能な程度の陥没部を設け、前記支軸の前記本体ケースの表面と前記カム板の間にスプリング部材を装着して、前記カム板を前記陥没部から離間して支持する構成として、前記カム板を装着している支軸の一方の端部側を押し込むことで、前記爪部材が前記嘴状部から離反して前記係合を解除することを特徴とする請求項５に記載の引戸用閉止装置。
【発明の詳細な説明】
【技術分野】
【０００１】  本発明は、引戸や扉等の自動閉塞などの用途に使われ、静かにまた確実に閉止可能とする引戸用閉止装置に関するものである。
【背景技術】
【０００２】  従来、開扉されたドアを自動的に閉じる閉止装置としては、油圧式のドアクローザが一般に使用されている。また、特に引戸に適用される閉止装置として、エアーダンパとスプリングを組合せた引戸用のドアクローザが知られている。このような公知の閉止装置では、引戸の上部に固定され、引戸側の取付け部材と端部が係合されていて、引戸の開扉時には、スプリングを圧縮しながらエアーダンパの抵抗に抗して引戸が開扉され、開扉された引戸は、スプリングのばね力によりエアーダンパの抵抗に抗して閉扉されるようになっている。【０００３】  また、ゼンマイバネを使って引戸を自動的に閉じる閉止装置であるドアクローザとして出力調整式ぜんまいユニットが既に出願されている（例えば、特許文献１参照）。【０００４】  また、ピストンとシリンダと閉鎖ばねを備えて、ピストンがシリンダ内を摺動して制動力を発揮して緩衝効果を現出し、閉鎖ばねを介して閉鎖方向の移動と閉鎖状態を維持するとした建具用緩衝閉鎖装置が既に出願されている。（例えば、特許文献２参照）。
【特許文献１】  特開平１１−２４１５５８号公報
【特許文献２】  特開２００５−２９０６６１号公報
【発明の開示】
【発明が解決しようとする課題】
【０００５】  ゼンマイバネを用いたドアクローザを用いた閉止装置では、閉止する力を強くするには、その開閉力（バネ力）を強くする必要がある、また、バネ力を調整するためには、ゼンマイバネを所定量巻き込んだ状態にする必要がある。また、巻き込んだゼンマイバネの戻り回転を防止するために、ラチェットを用いることも必要である。【０００６】  さらに、一旦強力な開閉力にセットしたドアクローザのバネ力を少し弱くする際には、一旦所定量巻き込んだゼンマイバネを少し巻き戻して、所望される所定のバネ力に調整する必要がある。この際には、前記ラチェットを解除して、ゼンマイバネを所定量巻き戻した後で、再度ラチェットを係合させて固定している。【０００７】  しかし、一方の手でラチェットを解除しながら、他方の手でゼンマイバネを巻き戻す動作となり、予め強力に巻き込まれたゼンマイバネを片手で力を加減しながら巻き戻す操作は力を要し、誰でもできる容易な操作ではなかった。【０００８】  さらに、バネ力を強くした状態では、引戸を閉止する力が強くなってしまい、静かに閉めることが困難になる問題を生じる。また、バネ力が強ければ、引戸を開ける際にも力が必要となる問題を生じる。【０００９】  本発明は、上記の事情を鑑みてなされたものであって、ゼンマイバネを備え、簡単な構成でしかも容易な操作で任意のバネ力に調節可能なドアクローザを用いると共に、引戸を静かにまた確実に閉止可能とする引戸用閉止装置を提供することを目的としている。
【課題を解決するための手段】
【００１０】  上記の目的を達成するために本発明は、固定の枠体に開閉自在に設けられる引戸の閉止装置において、引戸に設置され、ゼンマイバネを内蔵するドラムと、該ドラムに一端を固着して他端を枠体に接続するワイヤを有し、開かれた引戸を前記ゼンマイバネのバネ力により閉止する構成のドアクローザと、枠体に設置され、閉止する引戸に連動して移動する前記ドアクローザに当接して、制動力を付与する緩衝装置を備えると共に、前記緩衝装置が、前記ドアクローザに当接して移動するシャフトと、該シャフトに連なるピストンと、前記ピストンを摺動自在に収容するシリンダと、前記ピストンの閉止方向と開放方向の両方向の移動端位置を保持する第一、第二保持手段と、前記ピストンの閉止方向の移動の際に圧縮されるシリンダ内の空気を逃がす放出手段と、前記ピストンの開放方向の移動の際にシリンダ内に外気を導入する導入手段を備えていることを特徴としている。【００１１】  上記の構成であれば、ドアクローザを介して引戸を容易に閉止することができる。また閉止する際に緩衝装置を介するので、静かに閉止することができる。【００１２】  また本発明は上記構成の引戸用閉止装置において、前記シリンダの内腔両端部にそれぞれ開位置規制磁石と閉位置規制磁石を設け、前記ピストンの摺動先端部の両面にそれぞれ開放磁石と閉止磁石を設け、前記開位置規制磁石と前記開放磁石とが磁着して第一保持手段を形成し、前記閉位置規制磁石と前記閉止磁石とが磁着して第二保持手段を形成することを特徴としている。この構成であれば、第一保持手段を介してピストンおよびシャフトの移動先端位置が規制されるので、閉止する際にドアクローザと当接してブレーキが掛かる位置を規制することができる。また、第二保持手段を介して閉位置を規制するので、閉止状態を磁力で保持することができる。【００１３】  また本発明は上記構成の引戸用閉止装置において、前記放出手段を、シリンダの内腔に設ける複数の溝で構成すると共に、前記複数の溝の配設位置を異ならせて、前記ピストンの閉止方向に移動する際に、移動の途中から順に係合して空気逃げ溝を順に形成する構成としたことを特徴としている。この構成であれば、ブレーキの効き具合を溝の個数や配設位置で変化させることができ、所望の制動力を発揮可能となる。【００１４】  また本発明は上記構成の引戸用閉止装置において、前記シャフトのピストンが設けられている端部とは反対側の先端部に当接磁石を設け、前記ドアクローザに前記当接磁石に係合する係合磁石を設けると共に、前記シリンダから突出する該シリンダと前記当接磁石との間に、引きバネとしてのコイルバネを装着して前記シャフトを閉止方向に付勢する構成としたことを特徴としている。この構成であれば、引戸を開く操作で、開く引戸と共に移動するドアクローザの係合磁石と係合する係合磁石により、シャフトを引き出すことができる。また、引戸が閉止される際には、前述した第一保持手段によりその位置が保持されている引き出したシャフトに、ドアクローザが当接して押し込む力と引きバネとしてのコイルバネの力により閉止する移動を補助する構成となる。【００１５】  また本発明は上記構成の引戸用閉止装置において、前記ドアクローザが、本体ケースの表面と裏面とを貫通して回転自在に軸支される支軸に、前記ゼンマイバネの一端を固着して巻回すると共に、前記支軸の、前記本体ケースの表面から突出する一方の端部にカム板を装着し、前記カム板の回転を防止する係止手段を介して前記支軸の回転を防止する構成し、前記支軸を軸方向の前後いずれかに移動して前記係止手段の係合を解除することで、前記支軸の回転を可能としたことを特徴としている。この構成であれば、ゼンマイバネの一端が固着される支軸を、その軸方向に移動するという簡単な操作で、カム板の固定と回転を選択可能な引戸用ドアクローザとなり、引戸を開閉する力の調節が容易で確実にまた安全に閉止することができる。【００１６】  また本発明は上記構成の引戸用閉止装置において、前記ドアクローザが、前記支軸を押し込む方向に移動して前記係止手段の係合を解除すると共に、前記カム板の外周部に複数の嘴状部を設け、該嘴状部に係合する爪部材と前記嘴状部とで前記係止手段を構成し、前記カム板を備える前記本体ケースの表面に、前記カム板が収納可能な程度の陥没部を設け、前記支軸の前記本体ケースの表面と前記カム板の間にスプリング部材を装着して、前記カム板を前記陥没部から離間して支持する構成として、前記カム板を装着している支軸の一方の端部側を押し込むことで、前記爪部材が前記嘴状部から離反して前記係合を解除することを特徴としている。この構成であれば、支軸を押し込むことでカム板を回転して、ゼンマイバネのバネ力を調整可能なドアクローザを用いて引戸を開閉する力の調節が容易で確実にまた安全に閉止することができる。
【発明の効果】
【００１７】  本発明によれば、ゼンマイバネを内蔵するドラムを備え、ゼンマイバネのバネ力により開かれた引戸を閉止するドアクローザと、引戸を閉止する際に制動力を付与する緩衝装置を備えた引戸用閉止装置であって、緩衝装置のピストンとシリンダとを第一保持手段と第二保持手段とを介して開位置と閉止位置とを規制しているので、開いた引戸を自動的に閉止すると共に、閉止の際に制動力を発揮する位置を規制し、制動力を付与しながら閉止した引戸を閉止位置に保持することができる引戸用閉止装置を得ることができる。
【発明を実施するための最良の形態】
【００１８】  以下、本発明に係る引戸用閉止装置の実施の形態について、図面に基づいて詳細に説明する。【００１９】  図１は本発明に係る引戸用閉止装置の用途例を示す概略説明図である。図２は本発明に係る引戸用閉止装置を構成するドアクローザと緩衝装置との協働状態を示す概略説明図であって、（ａ）に離間した非係合状態を示し、（ｂ）に当接して協働する係合状態を示す。図３は緩衝装置の拡大説明図であって、（ａ）にシャフトがシリンダから突出した状態を示し、（ｂ）に要部拡大図を示す。図４にドアクローザの一例を示し、（ａ）は全体正面図であり、（ｂ）はＡ−Ａ断面を示す側面図である。【００２０】  図１に示すように、本発明に係る引戸用閉止装置１は、固定の枠体３１に開閉自在に設けられる引戸３０を閉止した状態に維持すると共に、開かれた際に引戸３０を閉止する方向に付勢して静かに閉止する装置であって、引戸３０を図中の矢印Ｘ方向に引く際に、閉止方向への付勢力を蓄えるドアクローザ１Ａと、閉止する引戸を静かに閉止する緩衝装置１Ｂを備える構成とされている。そのために、引戸３０を開扉して開放すると、その後は、引戸用閉止装置１が発揮する付勢力により閉まる方向に移動して自動的に閉止する。【００２１】  ドアクローザ１Ａは、引戸３０に設置され、ゼンマイバネを内蔵するドラムと、該ドラムに一端を固着して他端を枠体３１に接続するワイヤＷを有し、引戸３０を引いて開扉する操作でドラムを回転して前記ゼンマイバネを巻き上げ、巻き上げられたゼンマイバネを開放する際のバネ力により、引戸３０を閉止する付勢力を発揮する構成である。また、緩衝装置１Ｂは、閉止する引戸３０に適当な制動力を付加する装置であって、引戸３０を確実に閉止するためにゼンマイバネのバネ力を強くしても、適当な制動力を発揮して静かに閉止することを可能にしている。そのために、本実施形態においては緩衝装置１Ｂを固定側である枠体３１に設置して、閉止する引戸３０に連動して移動する前記ドアクローザ１Ａに当接して制動力を付与する構成としている。【００２２】  緩衝装置１Ｂは、閉止する引戸３０に制動力を付加するために、引戸３０と共に移動するドアクローザ１Ａに当接する当接部を有し、当接した後引戸３０と共に移動するシャフト１１を備えている。さらに、シャフト１１に連なるピストン１２と、前記ピストン１２を摺動自在に収容するシリンダ１３と、前記ピストン１２の閉止方向と開放方向の両方向の移動端位置を保持する第一、第二保持手段と、前記ピストン１２の閉止方向の移動の際に圧縮されるシリンダ内の空気を逃がす圧空放出手段と、前記ピストンの移動の際にシリンダ内に外気を導入する外気導入手段を備えている。【００２３】  次に図２より緩衝装置１Ｂおよび第一、第二保持手段についてさらに説明する。【００２４】  図２（ａ）に示す緩衝装置１Ｂは、ドアクローザ１Ａと離間した非係合状態であって、人が引戸を開いたときにこのような状態となる。この状態から引戸を開いた手をノブから離すと、ドアクローザ１Ａが備えるゼンマイバネのバネ力により徐々に閉止する。その閉止していく状態を図２（ｂ）に示す。【００２５】  図２（ａ）に示すように、シリンダ１３の内腔両端部にそれぞれ開位��規制磁石Ｍ１と閉位置規制磁石Ｍ２を設け、ピストン１２の摺動先端部の両面にそれぞれ開放磁石Ｍ３と閉止磁石Ｍ４を設け、シャフト１１がシリンダ１３から突出した状態では、前記開位置規制磁石Ｍ１と前記開放磁石Ｍ３とが磁着して第一保持手段Ｈ１を形成する。また、シャフト１１がシリンダ１３内に進入した状態（図２（ｂ）参照）では、前記閉位置規制磁石Ｍ２と前記閉止磁石Ｍ４とが磁着して第二保持手段Ｈ２を形成するように構成した。【００２６】  また、シャフト１１のピストンが設けられている端部とは反対側の先端部に当接磁石Ｍ５を設け、これと対向するドアクローザ１Ａの所定位置に、前記当接磁石Ｍ５に係合する係合磁石Ｍ６を設けると共に、前記シリンダ１３から突出する該シリンダと前記当接磁石Ｍ５との間に、引きバネとしてのコイルバネ１４を装着して前記シャフト１１を閉止方向に付勢する構成としている。【００２７】  そのために、開かれた引戸が閉止していく動作に連動して、ドアクローザ１Ａの係合磁石Ｍ６がシャフト１１の当接磁石Ｍ５に当接する。この後、閉止していく引戸と共にシャフト１１がシリンダ１３内に進入していくようにしている。このためには、シャフト１１の突出位置を維持している第一保持手段Ｈ１の保持力が、前記コイルバネ１４の引き力よりも強く、この引き力と引戸の閉止力との合力よりも弱くすればよい。つまり、ドアクローザ１Ａの係合磁石Ｍ６とシャフト１１の当接磁石Ｍ５とが当接すると、ドアクローザ１Ａが内蔵するゼンマイバネにより閉止力とコイルバネ１４により引き力との合力が、第一保持手段Ｈ１の保持力より大きくなって、第一保持手段Ｈ１を構成する開位置規制磁石Ｍ１と開放磁石Ｍ３とが離反して引戸が閉止していく。【００２８】  その状態を図２（ｂ）から説明する。閉止された引戸を開くと、閉位置規制磁石Ｍ２と閉止磁石Ｍ４とが磁着して形成される第二保持手段Ｈ２が解除されて、シャフト１１がドアクローザ１Ａに連動してシリンダ１３から突出していく。そして、開位置規制磁石Ｍ１と開放磁石Ｍ３とが磁着して第一保持手段Ｈ１を形成し、この位置で固定される。この後さらに引戸が開かれていくと、ドアクローザ１Ａの係合磁石Ｍ６がシャフト１１の当接磁石Ｍ５から離脱し、ドアクローザ１Ａが離反する。【００２９】  この引戸を開く動作で後述するようにドアクローザ１Ａに内蔵されるゼンマイバネが巻かれて、引戸を閉止する方向に付勢する。そのために、開いた引戸から手を離すと、このゼンマイバネが発揮するバネ力により引戸を閉止することになる。【００３０】  引戸が閉止していくと、その途中でドアクローザ１Ａの係合磁石Ｍ６がシャフト１１の当接磁石Ｍ５に当接して、開位置規制磁石Ｍ１と開放磁石Ｍ３との磁着を開放して第一保持手段Ｈ１を解除する。それからさらに閉止方向に移動していって、閉止終端で、閉位置規制磁石Ｍ２と前記閉止磁石Ｍ４とが磁着して第二保持手段Ｈ２を形成するようにしている。つまり、この第二保持手段Ｈ２を介して閉止位置を保持する構成としている。【００３１】  上記したように、引戸の開閉に応じてピストン１２がシリンダ１３内を摺動する構成としているので、シリンダ内の空気を入れたり出したりする必要がある。そのために、本��施形態においては、ピストン１２の閉止方向の移動の際に圧縮されるシリンダ１３内の空気を逃がす圧空放出手段と、前記ピストン１２の移動の際にシリンダ１３内に外気を導入する外気導入手段を備える構成としている。【００３２】  次に、図３より圧空放出手段と外気導入手段について説明する。【００３３】  図３（ａ）に示すように、シリンダ１３の内腔の所定位置に溝１５を設けて、ピストン１２の移動により圧縮されるシリンダ室１３Ａ内の空気を逃がす放出手段ＥＸを形成している。また、この際に、溝１５は一本でも複数でもよく、例えば、シリンダの内腔の周方向に複数設ける構成とすると、圧縮されようとするシリンダ室１３Ａ内の空気の排出速度を速くすることができる。また、複数の溝を設ける際に、これらの複数の溝の配設位置を異ならせて、ピストン１２の閉止方向に移動する際に、移動の途中から順に係合して徐々に空気逃がす構成とすることも可能である。【００３４】  例えば図３（ｂ）の展開図に示すように、それぞれ長さの異なる溝１５Ａ、１５Ｂ、１５Ｃを設けると、圧縮されつつある空気が排出されるタイミングがずれる構成となり、溝１５Ａを介してタイミングＴ１で排出開始され、タイミングＴ２で溝１５Ｂからの排出が開始され、タイミングＴ３で溝１５Ｃからの排出が開始されることになる。この構成であれば、ブレーキの効き具合を溝の個数や配設位置で変化させることができ、引きどのサイズや重さなどにより、所望の制動力を発揮可能となる。【００３５】  また、圧縮状態（引戸の閉止状態に相当）と膨張状態（引戸を開く状態に相当）との移動の際には、前記溝１５部を介してシリンダ室１３Ａ内に空気が挿通する。また、シリンダ１３Ｂ内には、シリンダ１３に設ける所定径の孔１６と該孔１６に連なりシリンダ１３の内腔に設ける通路１７を介して空気が挿通する構成としている。つまり、この孔１６と通路１７とで外気導入手段ＳＵを構成している。【００３６】  上記の構成の緩衝装置１Ｂを備える引戸を開いていくと、ピストン１２が溝１５を通り過ぎる位置で、空気のシリンダ室１３Ａ内への挿通がなくなるので、それ以降はシリンダ室１３Ａ内の空気が膨張されていく。そのために、この状態では、引戸を開く際にブレーキが掛かることになって、引戸を急に開いても、引戸が開放端部に激しく衝突することを防止することができる。そのために、この溝１５の配設位置により、引戸を開く際の制動力を加減し調節することが可能である。【００３７】  また、ピストン１２がさらに引戸を開く方向に移動して通路１７を通過すると、この通路１７を介して外気がシリンダ室１３Ａ内に挿通し、前記したブレーキが解除され、スムーズに移動する。そのために、溝１５と通路１７との配設位置や、これらの間隙長さＬを変えることで、引戸の開閉時の駆動力を制動するタイミングとその大きさを調節可能となり、引戸の大きさや重量などにより適当な配設位置を選択して、所望の力加減で開閉する引戸用閉止装置を得ることができる。【００３８】  上記したように、引戸を開閉する動作に応じてピストン１２がシリンダ１３内を往復移動するので、複数の溝からなる圧空放出手段ＥＸを備える引戸用閉止装置であれば、このときのピストン室１３Ａ内の空気を逃がすタイミングと、ピストン室１３Ａ内に空気を挿通させるタイミングを加減することができ、引戸を閉める際の制動力と引戸を開く際の制動力との両方を所望の範囲に調整し維持することが容易となる。【００３９】  そのために、第一保持手段Ｈ１と第二保持手段Ｈ２と圧空放出手段ＥＸと外気導入手段ＳＵを備える引戸用閉止装置１であれば、第二保持手段Ｈ２を介してピストン１２およびシャフト１１の移動先端位置を規制し、閉止する際にドアクローザ１Ａと当接してブレーキが掛かる位置を規制することができる。また、第一保持手段Ｈ１を介して閉止状態を磁力で保持することができる。【００４０】  次にドアクローザ１Ａについて図４より説明する。このドアクローザ１Ａは、前記ゼンマイバネを内蔵するドラムを支持する支軸３を押し込む方向に移動して、前記支軸３の先端に装着されているカム板５Ａの回転を防止する係止手段の係合を解除するドアクローザである。【００４１】  前記ドアクローザ１Ａは、箱型の本体ケース２と、該本体ケース２内に収納されるゼンマイバネ４と、前記ゼンマイバネ４の一端が固着されると共に前記本体ケース２の表面２ａと裏面２ｂとを貫通して回転自在に軸支される支軸３と、前記支軸３の一方の端部３Ａを前記本体ケース２の表面２ａから突出させて該突出する一方の端部３Ａにカム板５と、前記ゼンマイバネ４を内蔵するドラム６と、該ドラム６に一端を固着されて巻回されるワイヤＷを備えている。そして、本体ケース２を引戸に固着しワイヤＷの先端部を枠体に係止する構成としている。ワイヤＷを係止するには、例えば、ワイヤ先端に輪フックを設けて、この輪フックを枠体に設ける係止具に引っ掛ける構成とすればよい。【００４２】  この状態で引戸を引いて開扉すると、ガイドローラを介して牽引されているワイヤＷが引き出されてゼンマイバネ４が巻き上げられる。この後で開かれた引戸を開放すると、ゼンマイバネ４が開放されて、ワイヤＷを巻き戻す方向に回転し、引戸を閉止する。このように、ゼンマイバネ４を介して、引戸の開閉に応じてワイヤＷが引き出され、また巻き戻される際に、引戸を自動的に閉止する構成である。【００４３】  また、前記カム板５は、その外周部に複数の嘴状部５１（本実施の形態では三箇所）を円周上等配して設けており、該嘴状部５１に係合する爪片８Ｂを有する爪部材８により前記カム板５の回転を停止する構成である。カム板５の回転を停止すると、前記カム板５が固着されている前記支軸３の回転を停止することになる。すなわち、前記爪部材８と前記嘴状部５１とで前記カム板５の回転を防止する係止手段を構成し、該係止手段によって、支軸３を固定して所定のゼンマイバネのバネ力に設定することができる。【００４４】  さらに、前記カム板５を備える本体ケース２の表面に、前記カム板５を収納可能な程度の陥没部２０を設けると共に、前記支軸３の前記本体ケースの表面２ａと前記カム板５の間にスプリング部材を装着し、前記カム板５を前記陥没部２０から離間して支持する構成として、前記カム板５を装着している支軸３の一方の端部３Ａ側を押し込むことで、前記爪部材８の爪片８Ｂが前記嘴状部５１から離反して前記係合を解除する構成としている。【００４５】  前記���部材８は支軸９を介して、本体ケース２に回転自在に軸支されており、さらにバネ材１０により前記嘴状部５１に当接する方向に付勢されていて、逆方向には回転不能に支持されている。【００４６】  そのために、前記爪部材８は常に前記カム板５のカム面に当接している。また、前記カム板５を押し込んで、一旦前記爪部材８との係合関係を解除した後で、前記カム板５を回転して所定のバネ力とする際には、前記爪部材８の一端８Ａを指で支持しながら前記カム板５を戻すことで、新たな係合位置に固定することができる。【００４７】  さらに、前記カム板５の表面には把手部５２を設けており、作業者が押し込んだり、摘んだりする操作を行い易いような構成とされている。また、５３は固着用の取付孔であって、本体ケースの表面２ａに設けるネジ孔（不図示）に前記カム板５を固定するためのものである。【００４８】  前記ドアクローザ１Ａを引戸に取り付けるために、取付孔２３を本体ケース２の裏面２ｂに設けている。２２は表面２ａに設ける孔であって、前記取付孔２３に挿通するネジ部材を締め付けるためのドライバを差し込む孔であり、取付孔２３よりも大きな孔である。【００４９】  前記ドアクローザ１Ａは裏面２ｂ部を固定するだけでなく、底面２ｃ部により固定することができるように、前記底面２ｃの延設部にも取付孔２４を設けて、本体ケース２の裏面２ｂと底面２ｃのどちらによっても取付可能な構成とされている。【００５０】  また、本体ケース２を貫通している支軸３の一方の端部３Ａに装着されるカム板５を前記本体ケース２の表面２ａ側に押圧するために、前記陥没部２０にスプリング部材を装着している。前記スプリング部材として本実施の形態においては円錐バネＳＷを採用した。そのために、前記陥没部２０の深さが小さくても、所定のバネ力を発揮する円錐バネＳＷを用いるので、所定の押圧力で支軸３を押し込み可能とすることができる。また、前記陥没部２０の深さが小さくてもよいので軸方向の長さを短くすることができ、コンパクトな形状のドアクローザとすることができる。【００５１】  また、本体ケース２の裏面２ｂ部にも陥没部２１を設けている。前記陥没部２１は前記支軸３の後方の端部３Ｂが、前記裏面２ｂから突出しない深さの陥没部である。さらに、前記陥没部２１を、支軸３を押し込んだ際に、前記裏面２ｂから突出しない程度の深さとしておけば、前記裏面全面を壁体等に密着してドアクローザ１Ａを固定することができ好適である。【００５２】  つまり、円錐バネＳＷの変形量だけ前記支軸３及びカム板５を押し込むと、カム板５の嘴状部５１が前記爪部材８から離反するよう設計されているので、この状態でカム板５を回転させることができる。すなわち、前記ドアクローザ１Ａの引戸を閉止するバネ力を調整することができる。【００５３】  上記のような構成としているので、本発明に係るドアクローザ１Ａは、カム板５を押し込んで所定量回転して引き戻すという簡単な操作で、所望のバネ力に容易に調整することができる。【００５４】  また、ドアクローザ１Ａに代えて、支軸を引き出す方向に移動して係止手段の係合を解除するドアクローザを用いることも可能であるがここでは詳述しない。しかし、支軸を押し込む操作は���軸を引き出す操作よりも容易であるので、支軸を押し込むことでカム板を回転して、ゼンマイバネのバネ力を調整可能なドアクローザが好適である。また、このドアクローザを用いて、引戸を開閉する力の調節が容易となり、また、ドアを閉止する際に確実にまた安全に閉止することができる。【００５５】  上記したように本実施の形態によれば、ゼンマイバネのバネ力を調整する際に、力を急に抜いたりしても、本体ケースとカム板とが空回りせずに、所定角度毎（本実施の形態においては９０°毎）に、確実に前記凹部と凸部とが係合して回転停止するものである。そのために、非力な人でも容易に操作可能であり、女性や高齢者でも安心して操作することのできるドアクローザを得ることができる。【００５６】  本発明に係る引戸用閉止装置１は、引戸を引いて開ける操作でゼンマイバネを巻き上げて、ゼンマイバネが開放される際のバネ力を介して引戸を閉止するドアクローザ１Ａを用いているので、ゼンマイバネのバネ力により、任意の大きさの閉止力を得ることができる。また、ゼンマイバネが発揮するバネ力を調節容易としているので、種々のタイプの引戸に対応容易であり、一個のドアクローザで多品種のドアに適応可能となる。【００５７】  また、本発明に係る引戸用閉止装置１は、引戸を閉止する際に、ドアクローザに当接して制動力を付加すると共に、第一保持手段Ｈ１と第二保持手段Ｈ２と圧空放出手段ＥＸと外気導入手段ＳＵを備える緩衝装置１Ｂを用いているので、引戸を静かに閉止して、閉止位置をそのまま維持しておくことができる。【００５８】  上記したように本発明によれば、ゼンマイバネを内蔵するドラムを有し、ゼンマイバネのバネ力により開かれた引戸を閉止するドアクローザと、ピストンとシリンダを有し、引戸を閉止する際に制動力を付与する緩衝装置を備えて、緩衝装置のピストンとシリンダとを第一保持手段と第二保持手段とを介して開位置と閉止位置とを規制する構成としているので、開いた引戸をドアクローザを介して自動的に閉止することができ、ドアクローザと緩衝装置とが係合して、閉止の際に制動力を発揮する位置を規制し、制動力を付与しながら引戸を閉止し、閉止した引戸を閉止位置に保持することができる引戸用閉止装置を得ることができる。
【図面の簡単な説明】
【００５９】
【図１】  本発明に係る引戸用閉止装置の用途例を示す概略説明図である。
【図２】  本発明に係る引戸用閉止装置を構成するドアクローザと緩衝装置との協働状態を示す概略説明図であって、（ａ）に離間した非係合状態を示し、（ｂ）に当接して協働する係合状態を示す。
【図３】  緩衝装置の拡大説明図であって、（ａ）にシャフトがシリンダから突出した状態を示し、（ｂ）に要部拡大図を示す。
【図４】  ドアクローザの一例を示し、（ａ）は全体正面図であり、（ｂ）はＡ−Ａ断面を示す側面図である。
【符号の説明】
【００６０】  １  引戸用閉止装置
１Ａ  ドアクローザ
１Ｂ  緩衝装置
２  本体ケース
３  支軸
４  ゼンマイバネ
５  カム板
１１  シャフト
１２  ピストン
１３  シリンダ
Ｈ１  第一保持手段
Ｈ２  第二保持手段
ＥＸ  圧空放出手段
ＳＵ  外気導入手段
Ｗ  ワイヤ
【図１】
2009275497.tif 000003
【図２】
2009275497.tif 000004
【図３】
2009275497.tif 000005
【図４】
2009275497.tif 000006